(57)【要約】  【課題】  光ディスク装置において、信頼性と安全性を確保可能な技術を提供する。  【解決手段】  レーザーダイオードに対し並列に検出スイッチを接続し、該検出スイッチにより、トレイが装置本体外に引き出された位置にあることを検出し、該位置にあるときには、該検出スイッチを導通状態にして該レーザーダイオードを短絡する構成とする。該検出スイッチを導通状態とすることで、レーザーダイオードの誤発光や破壊を防止する。【選択図】  図３
2006155779.tif 000002
【特許請求の範囲】
【請求項１】
光ピックアップを用いて光ディスクに対し情報の記録または再生を行う光ディスク装置であって、
上記光ピックアップ内においてレーザー光を発生するレーザーダイオードと、
上記レーザーダイオードを駆動するレーザー駆動回路と、
上記光ディスクを搬入または搬出するためのトレイが装置本体内の所定の第１の位置に挿入されていることを検出する第１の検出スイッチと、
上記レーザーダイオードに対し並列接続され、上記トレイが上記第１の位置以外の第２の位置にあることを検出し導通状態となる第２の検出スイッチと、
少なくとも上記第１の検出スイッチによる検出結果に基づき、上記レーザー駆動回路を作動させる制御信号を形成し出力する制御手段と、
を備え、上記トレイが上記第１の位置にあるときは、上記制御手段により上記レーザーダイオードが発光可能な状態とされ、また、上記トレイが上記第２の位置にあるときは、上記レーザーダイオードは、上記第２の検出スイッチの導通により短絡され非発光状態とされる構成としたことを特徴とする光ディスク装置。
【請求項２】
上記第１、第２の検出スイッチと上記レーザーダイオードとは、互いに別の基板上に設けられている請求項１に記載の光ディスク装置。
【請求項３】
上記光ピックアップは、上記トレイとともに移動変位し、該トレイが上記第２の位置にあるときは、対物レンズ位置が装置本体外にあるようにされる請求項１に記載の光ディスク装置。
【発明の詳細な説明】
【技術分野】
【０００１】
本発明は、光ディスク装置に係り、特に、光ピックアップの信頼性確保と使用上の安全性確保の技術に関する。
【背景技術】
【０００２】
従来、光ディスク装置では、レーザーダイオードの誤発光対策技術としては、図４に示すように、光ディスク（図示なし）を搬入または搬出するためのトレイ（図示なし）の位置を、直列接続された２個のスイッチ（検出スイッチ）１６、１７'で検出し、該検出結果に基づきマイコン１５により、記録信号生成部１２やレーザー駆動回路７を制御し、それらの出力をオン・オフすることで上記レーザーダイオード６への電力供給をオン・オフし、該レーザーダイオード６に発光動作を行わせたり、発光を停止させたりするようにしている。すなわち、装置本体中にトレイが挿入された状態では、上記２個のスイッチ１６、１７'により、記録信号生成部１２やレーザー駆動回路７からの出力をオン状態としてレーザーダイオード６に電力供給を行い、該レーザーダイオード６に発光動作を行わせる。一方、装置本体からトレイが引き出された状態では、該２個のスイッチ１６、１７'により、記録信号生成部１２やレーザー駆動回路７からの出力をオフ状態としてレーザーダイオード６への電力供給を断ち、該レーザーダイオード６に発光動作をさせないようにする。
【０００３】
また、本発明に関連した技術であって特許文献に記載されたものとしては、例えば、特開２００４−２８０９３４号公報（特許文献１）、特開平５−１３５３９７号公報（特許文献２）、特開２００２−７４７２０号公報（特許文献３）などに記載されたものがある。特開２００４−２８０９３４号公報には、トレー（トレイ）やドロワ部を引き出したときに、装置内の回路素子等に影響を与えずにレーザ光源（レーザーダイオード相当）の点灯を確実に防止するために、ドロワ部がキャビネットの所定の位置に収納されていないとき、収納検出スイッチから低レベル信号をＣＰＵに出力し、ＣＰＵはこれに基づき低レベル信号を駆動用トランジスタに送り、該駆動用トランジスタがこれに基づき、電源からドライバＩＣと処理アンプに供給している電圧を遮断するとした構成が記載され、また、特開平５−１３５３９７号公報には、光ディスク装置において、保守時にレーザ光が漏れて人間に害を与えることを、簡単・小型・低価格の装置構成下で防止可能とするために、光ディスクが正常に装着され、所定回転数に達して同期信号を発生したときに初めて、レーザ駆動回路（レーザー駆動回路）に発光指令を出してレーザ光（レーザー光）が出射されるようにし、カートリッジがないときには、レーザ光（レーザー光）を出射させないようにするとした構成が記載されている。さらに、特開２００２−７４７２０号公報には、トレイが出ているときは、光ヘッドの機能を確実に停止できるようにするために、回転機構ユニットに形成される信号線の一部を切断し、該切断部分に対応した信号線要素をトレイ下面に設け、トレイが装置本体内の所定位置にあり、かつ回転機構ユニットが所定の上昇位置にあるときにだけ、該回転機構ユニット上の上記信号線の切断部に、トレイ下面の上記信号線要素が接続されるようにして回路が形成され、光ヘッドが駆動されるようにするとした構成が記載されている。
【０００４】
【特許文献１】特開２００４−２８０９３４号公報
【特許文献２】特開平５−１３５３９７号公報
【特許文献３】特開２００２−７４７２０号公報
【発明の開示】
【発明が解決しようとする課題】
【０００５】
上記従来技術はいずれも、光ピックアップに静電気が印加された場合には、該静電気による過電圧がレーザーダイオードに印加されるため、レーザーダイオードが破壊されるおそれがある。また、レーザー駆動回路から駆動用信号が出力されるときは、たとえそれが誤動作によるものであっても、該駆動信号がレーザーダイオードに供給され、該レーザーダイオードは発光（誤発光）してしまうことになる。特に、トレイが装置本体部から引き出された状態のときに光ピックアップの対物レンズが装置本体部の外側に位置する構成の光ディスク装置の場合には、該対物レンズは該位置において、露出状態とされるため、該状態でレーザーダイオードが発光すると、レーザー光が該露出した対物レンズから出射され、ユーザなどの目に入って健康を損ねるおそれがある。
【０００６】
本発明の課題点は、上記従来技術の状況に鑑み、光ディスク装置において、光ピックアップに静電気が印加された場合にも、レーザーダイオードが破壊されないようにするとともに、トレイが装置本体部から引き出された状態のときには、たとえレーザー駆動回路から駆動用信号が出力されたとしても、レーザーダイオードは誤発光をしないようにすることである。
本発明の目的は、かかる課題点を解決し、光ディスク装置において、信頼性と安全性を確保できる技術を提供することにある。
【課題を解決するための手段】
【０００７】
上記課題点を解決するために、本発明では、光ディスク装置において、レーザーダイオードに対し並列に検出スイッチを接続し、該検出スイッチにより、トレイが装置本体外に引き出された位置にあることを検出し、該位置にあるときには、該検出スイッチを導通状態にして該レーザーダイオードを短絡する構成とする。
【発明の効果】
【０００８】
本発明によれば、光ディスク装置において、光ピックアップに静電気が印加された場合にも、レーザーダイオードを該静電気の過電圧による破壊から保護することができる。また、トレイが装置本体部から引き出された状態のときに、たとえ、装置の誤作動などによりレーザー駆動回路から駆動用信号が出力されたとしても、レーザーダイオードは発光をしないようにすることができ、装置の安全性を確保することができる。
【発明を実施するための最良の形態】
【０００９】
以下、本発明を実施するための最良の形態につき、図面を用いて説明する。
図１〜図３は、本発明の実施例の説明図である。図１は、本発明の実施例としての光ディスク装置の構成例図、図２は、図１の光ディスク装置の斜視図、図３は、レーザーダイオードの駆動構成例図である。
【００１０】
図１において、１は光ディスク装置、２は光ディスク、３は、光ディスク２を回転駆動するためのスピンドルモータ、４は、光ディスク１に対しレーザー光を照射し、該光ディスク２に情報を記録したり、記録された情報を該光ディスク２から読み出したりする光ピックアップ、５は、光ピックアップ４内の対物レンズ、６は、レーザー光を発生するレーザーダイオード、７は、レーザーダイオード６を駆動するレーザー駆動回路、８は、対物レンズ５からのレーザー光を受光し電気信号に変換する受光部、９は、対物レンズの位置や姿勢を変えるアクチュエータ、１０は、光ピックアップ４を光ディスク２の半径方向（ディスク半径方向）に案内しながら移動させる移動・案内機構部、１０ａは、移動・案内機構部１０の駆動源としてのリードスクリュー（図示なし）を回転させるスライドモータ、１１は、スピンドルモータ３やスライドモータ１０ａを駆動するためのモータ駆動回路、１２は、記録信号を形成する記録信号形成部、１３は、受光部８からの出力信号に基づき、復調処理などによって再生信号を形成したり、記録エラーや再生エラーを検出して対応する信号を形成したりする再生・誤差信号処理部、１４は、アクチュエータ９を駆動するためのフォーカス制御信号やトラッキング制御信号を形成するフォーカス・トラッキング制御部、１５は、光ディスク装置全体を制御する制御手段としてのマイコン、１６は、レーザーダイオード６に対し直列接続され、光ディスク２を搬入または搬出するためのトレイ（図示なし）が装置本体内の所定の位置（第１の位置）例えばスピンドルモータ３により回転可能な位置に挿入されていることを検出する第１の検出スイッチとしての検出スイッチＡ、１７は、レーザーダイオード６に対し並列接続され、トレイが上記第１の位置以外の位置（第２の位置）例えば装置本体内から引き出された（排出された）位置にあることを検出し導通状態となる第２の検出スイッチとしての検出スイッチＢ、３０は、光ディスク２が回転のために装着されるターンテーブルである。
【００１１】
上記構成において、記録または再生時には、光ディスク２が、トレイにより光ディスク装置１の装置本体内に搬入（挿入）され、所定の位置である第１の位置でトレイから離間され、ターンテーブル（図示なし）上に載置されて、スピンドルモータ３により回転可能な状態にされるとともに、検出スイッチＡ１６が、トレイが装置本体内の所定の位置（第１の位置）にある（または到達している）ことを検出する。マイコン１５は、該検出結果に基づき、上記レーザー駆動回路７を作動させる制御信号や記録信号生成部１２を作動させる制御信号を形成して出力する。検出スイッチＢ１７はこのとき、非導通状態とされている。レーザー駆動回路７は、レーザーダイオード６を駆動する駆動用信号を出力し、該レーザーダイオード６に供給する。記録時は、記録信号生成部１２からの記録信号に対応した駆動用信号を形成して出力する。レーザーダイオード６は、該駆動用信号により駆動され、所定の強さのレーザー光を発生（発光）する。該レーザー光は、対物レンズ５を通して光ディスク２の記録面に照射され、記録または再生動作が行われる。
【００１２】
一方、例えば、記録または再生を終了した場合や、新たに記録または再生を行う場合など、トレイが、装置本体内から引き出された（排出された）位置など上記第１の位置以外の位置である第２の位置にあるときは、検出スイッチＢ１７は、トレイが該位置にあることを検出して導通状態となる。該検出スイッチＢ１７は、レーザーダイオード６に並列接続されているため、導通により該レーザーダイオード６を短絡状態にする。このとき、検出スイッチＡ１６は例えば非導通状態とされ、かつ、マイコン１５は、レーザー駆動回路７を作動させる制御信号や記録信号生成部１２を作動させる制御信号を形成しない。トレイが該位置（第２の位置）にあるとき、何らかの原因で、例えばマイコン１５やレーザー駆動回路７が誤作動し駆動用信号がレーザー駆動回路７から出力されたとしても、該駆動用信号は、導通状態にある検出スイッチＢ１７中を流れ、レーザーダイオード６には供給されない。このため、レーザーダイオード６はレーザー光を発光しない。また、トレイが該位置（第２の位置）にあるとき、帯電したユーザの触手などによって光ピックアップに静電気が印加され、該静電気による過電圧がレーザーダイオード６の両端側に発生した場合にも、該過電圧は導通状態の検出スイッチＢ１７によって低減される。このため、レーザーダイオード６は、該過電圧によって破壊されることもない。
【００１３】
以下、図２〜図３の説明において用いる上記図１の装置構成の構成要素には、図１の場合と同じ符号を付して用いるとする。
図２は、図１の光ディスク装置１の斜視図であって、トレイが装置本体部から引き出される途中の状態を示す。本光ディスク装置は、光ピックアップ４や、スピンドルモータ３や、移動・案内機構部１０などがトレイといっしょに移動変位する構成である。
【００１４】
図２において、２０はトレイ、２１は、トレイ２０の側端部に係合したレール部材、４１は、装置の光ディスク装着側を覆うトップケース、４２は、トップケース４１とともに装置を覆うボトムケース、５０は、ターンテーブル３０の先端部が当接しないようにトップケース４１側に設けた孔である。図２中の他の符合は、上記図１の場合と同じ構成要素を指す。本構成では、検出スイッチＡ１６（図１）及び検出スイッチＢ１７（図１）は、トップケース４１及びボトムケース４２が固定されているシャーシ等の基台部側に取付けられているとし、トレイの装置本体部に対する挿入・排出（引き出し）動作によって作動されるものとする。トレイ２０が装置本体部から引き出された状態においては、光ピックアップ４内の対物レンズ５（図１）も外部に露出された状態となる。該状態で、光ピックアップ４内のレーザーダイオード６（図１）が発光した場合には、該発光によるレーザー光がユーザの目に入るなどして該ユーザの健康を害するおそれがあるが、本発明では、上記図１で説明したように、検出スイッチＢ１７の導通状態化によって、上記トレイ２０の排出（引き出し）状態におけるレーザーダイオード６の発光動作がなく、ユーザの健康を害するおそれもない。
【００１５】
図３は、レーザーダイオード６の駆動構成例図である。
図３において、第１の検出スイッチとしての検出スイッチＡ１６は、トレイ２０（図２）が装置本体内の所定の位置（第１の位置）に挿入されていることを検出する。第２の検出スイッチとしての検出スイッチＢ１７は、レーザーダイオード６に並列接続され、トレイ２０が、装置本体内から引き出された位置など上記第１の位置以外の位置（第２の位置）にあるとき、トレイが該位置にあることを検出して導通状態となる。マイコン１５は、検出スイッチＡ１６の検出結果または検出スイッチＢ１７の検出結果により制御信号を形成し、記録信号生成部１２やレーザー駆動回路７の作動を制御する。トレイ２０が装置本体内の所定の位置（第１の位置）にあるときは、検出スイッチＢ１７は非導通状態とされ、レーザー駆動回路７からの駆動用信号がレーザーダイオード６に供給されるようにする。一方、トレイ２０が、図２のように、装置本体内から引き出された位置（第２の位置）にあるときは、検出スイッチＢ１７が導通状態とされるとともに、検出スイッチＡ１６は例えば非導通状態とされ、マイコン１５で、レーザー駆動回路７を作動させる制御信号や記録信号生成部１２を作動させる制御信号が形成されないようにする。検出スイッチＢ１７が導通状態とされることで、レーザーダイオード６は該検出スイッチＢ１７で短絡された状態となる。このため、例えばマイコン１５やレーザー駆動回路７が誤作動して、レーザー駆動回路７から駆動用信号が出力された場合も、該駆動用信号はレーザーダイオード６には供給されず、レーザーダイオード６は発光しないし、また、例えば、光ピックアップ４に、帯電したユーザの触手などによって静電気が印加され、該静電気による過電圧がレーザーダイオード６の両端側に発生した場合にも、該過電圧は検出スイッチＢ１７によって低減されるため、レーザーダイオード６は破壊から保護される。
【００１６】
なお、検出スイッチＡ１６は、トレイ２０（図２）が装置本体内の所定の位置（第１の位置）に挿入されているとき、非導通状態となることで該トレイ２０の位置を検出するようにしてもよいし、また、トレイ２０が装置本体内から引き出された位置（第２の位置）にあるときは、導通状態となるようにしてもよい。ただし、該導通状態では、マイコン１５では、レーザー駆動回路７を作動させる制御信号や記録信号生成部１２を作動させる制御信号が形成されないようにする。
【００１７】
上記実施例によれば、トレイ２０が装置本体内から引き出された位置（第２の位置）にあるときは、検出スイッチＡ１６によりレーザーダイオード６が短絡状態とされるため、マイコン１５やレーザー駆動回路７が誤作動した場合にも、レーザーダイオード６はレーザー光の発光を行わないようにすることができるし、また、静電気による過電圧での破壊も回避することができる。この結果、光ディスク装置における安全性の確保と信頼性の向上とが可能となる。
【００１８】
上記実施例では、検出スイッチＡ１６及び検出スイッチＢ１７は、トップケース４１及びボトムケース４２が固定されている基台部側に取付けられているとしたが、本発明はこれに限定されず、該両スイッチ１６、１７のうちの一方または両方が、トレイ２０とともに移動する部材側に取付けられる構成であってもよい。また、該検出スイッチＡ１６及び該検出スイッチＢ１７はそれぞれ、１個のスイッチである必要はなく、複数のスイッチから構成されてもよい。さらに、これら両検出スイッチは、メカニカルな構成のスイッチであってもよいし、トランジスタなどを用いて成る電子的なスイッチであってもよい。
【図面の簡単な説明】
【００１９】
【図１】本発明の実施例としての光ディスク装置の構成例図である。
【図２】図１の光ディスク装置の斜視図である。
【図３】図１の光ディスク装置におけるレーザーダイオードの駆動構成例図である。
【図４】従来の光ディスク装置におけるレーザーダイオードの駆動構成例図である。
【符号の説明】
【００２０】
１…光ディスク装置、
２…光ディスク、
３…スピンドルモータ、
４…光ピックアップ、
５…対物レンズ、
６…レーザーダイオード、
７…レーザー駆動回路、
８…受光部、
９…アクチュエータ、
１０…移動・案内機構部、
１０ａ…スライドモータ、
１１…モータ駆動回路、
１２…記録信号形成部、
１３…再生・誤差信号処理部、
１４…フォーカス・トラッキング制御部、
１５…マイコン、
１６…検出スイッチＡ、
１７…検出スイッチＢ、
３０…ターンテーブル、
２０…トレイ、
２１…レール部材、
４１…トップケース、
４２…ボトムケース、
５０…孔。
【図１】
2006155779.tif 000003
【図２】
2006155779.tif 000004
【図３】
2006155779.tif 000005
【図４】
2006155779.tif 000006